(57)【要約】【課題】十分な断熱性能を有しながら、薄型化を図ることができる断熱パネルを提供すること。【解決手段】平板状の真空断熱材４１を備えた断熱仕切板４であって、真空断熱材４１の縁に沿って延在し、かつ真空断熱材４１の縁部における表面及び裏面を覆う態様で配設された第１枠部材４２１を有する枠体４２を備えてなり、第１枠部材４２１には、内方に突出する突部４２１１が真空断熱材４１の外端面４１ａに接触することにより、真空断熱材４１を構成するフィルム４１２の耳部分４１２ａ，４１２ｂを折り重ねることにより生ずるヒレ部分４１３を収納する収納域Ｓが画成してある。【選択図】図６
2011133096.tif 000002
【特許請求の範囲】
【請求項１】
平板状の真空断熱材を備えた断熱パネルであって、
前記真空断熱材の縁に沿って延在し、かつ前記真空断熱材の縁部における表面及び裏面を覆う態様で配設された枠部材を有する枠体を備えてなり、
前記枠部材には、内方に突出する突部が前記真空断熱材の外端面に接触することにより、前記真空断熱材を構成するフィルムの耳部分を折り重ねることにより生ずるヒレ部分を収納する収納域が画成してあることを特徴とする断熱パネル。
【請求項２】
前記枠体は、前記枠部材よりも軟質な材料から構成され、かつ該枠部材の外端部分を覆う態様で配設された軟質枠部材を有することを特徴とする請求項１に記載の断熱パネル。
【発明の詳細な説明】
【技術分野】
【０００１】
本発明は、断熱パネルに関し、より詳細には、平板状の真空断熱材（ＶＩＰ：Vacuum  Insulation  Panel）を備えた断熱パネルに関するものである。
【背景技術】
【０００２】
従来、平板状の真空断熱材（ＶＩＰ）を備えた断熱パネルとして、次のようなものが知られている。例えば、平板状の基材に形成された窪みに真空断熱材を配設し、該真空断熱材を覆うように基材に蓋材を接着させて平板状の遮熱体を構成し、かかる遮熱体を金属板等で挟み込むようにして形成した断熱パネルである（例えば、特許文献１参照）。
【先行技術文献】
【特許文献】
【０００３】
【特許文献１】特開２００６−０５７７８５号公報
【発明の概要】
【発明が解決しようとする課題】
【０００４】
ところが、上述した特許文献１に提案されているような断熱パネルでは、基材に形成された窪みに真空断熱材を配設し、かかる真空断熱材を覆うように該基材に蓋材を接着させて遮熱体を構成し、更に遮熱体を金属板等で挟み込むようにして形成してあるので、厚み方向の寸法が過大なものとなる。
【０００５】
このような断熱パネルを、自動販売機の商品収容庫を画成するための断熱材として用いると、商品収容庫自体の寸法が小さくなってしまい、商品の収納数の低下等を招来してしまう。
【０００６】
本発明は、上記実情に鑑みて、十分な断熱性能を有しながら、薄型化を図ることができる断熱パネルを提供することを目的とする。
【課題を解決するための手段】
【０００７】
上記目的を達成するために、本発明の請求項１に係る断熱パネルは、平板状の真空断熱材を備えた断熱パネルであって、前記真空断熱材の縁に沿って延在し、かつ前記真空断熱材の縁部における表面及び裏面を覆う態様で配設された枠部材を有する枠体を備えてなり、前記枠部材には、内方に突出する突部が前記真空断熱材の外端面に接触することにより、前記真空断熱材を構成するフィルムの耳部分を折り重ねることにより生ずるヒレ部分を収納する収納域が画成してあることを特徴とする。
【０００８】
また、本発明の請求項２に係る断熱パネルは、上述した請求項１において、前記枠体は、前記枠部材よりも軟質な材料から構成され、かつ該枠部材の外端部分を覆う態様で配設された軟質枠部材を有することを特徴とする。
【発明の効果】
【０００９】
本発明の断熱パネルによれば、枠体が、真空断熱材の縁に沿って延在し、かつ真空断熱材の縁部における表面及び裏面を覆う態様で配設された枠部材を有し、かつこの枠部材には、内方に突出する突部が真空断熱材の外端面に接触することにより、真空断熱材を構成するフィルムの耳部分を折り重ねることにより生ずるヒレ部分を収納する収納域が画成してあるので、断熱パネルの厚み寸法を枠体の厚みの大きさ程度にすることができ、しかも真空断熱材の露出面積を十分に確保することができる。従って、十分な断熱性能を有しながら、薄型化を図ることができるという効果を奏する。
【図面の簡単な説明】
【００１０】
【図１】図１は、本発明の実施の形態である断熱パネルが適用された自動販売機の内部構造を正面から見た場合を示す断面図である。
【図２】図２は、本発明の実施の形態である断熱パネルが適用された自動販売機の内部構造を示す断面側面図である。
【図３】図３は、図１に示した断熱仕切板を示す説明図である。
【図４】図４は、図３に示した真空断熱材を示すもので、（ａ）は側面図、（ｂ）は正面図、（ｃ）は平面図である。
【図５】図５は、図４に示した断熱部材の長辺側耳部分及び短辺側耳部分を折り重ねた状態を示すもので、（ａ）は側面図、（ｂ）は正面図、（ｃ）は平面図である。
【図６】図６は、図６は、図３におけるＡ−Ａ線断面図である。
【発明を実施するための形態】
【００１１】
以下に添付図面を参照して、本発明に係る断熱パネルの好適な実施の形態について詳細に説明する。
【００１２】
図１及び図２は、それぞれ本発明の実施の形態である断熱パネルが適用された自動販売機を示すものであり、図１は、自動販売機の内部構造を正面から見た場合を示す断面図であり、図２は、自動販売機の内部構造を示す断面側面図である。ここで例示する自動販売機は、本体キャビネット１を備えている。
【００１３】
本体キャビネット１は、前面が開口した直方状の形態を成す自動販売機本体である。この本体キャビネット１には、天部、底部、背部及び両側部に敷設されたパネル状の断熱部材２ａ〜２ｄに囲繞される態様で商品収容室３が画成されている。そして、かかる商品収容室３の内部に例えば２つの断熱仕切板４によって仕切られた３つの独立した商品収容庫５が左右に並んだ態様で設けてある。この商品収容庫５は、缶入り飲料やペットボトル入り飲料等の商品を所望の温度に維持した状態で収容するためのもので、断熱構造を有している。
【００１４】
図２に示すように、本体キャビネット１の前面には、外扉６及び内扉７が設けてある。外扉６は、本体キャビネット１の前面開口を開閉するためのものであり、内扉７は、商品収容庫５の前面を開閉するためのものである。この内扉７は、上下に分割してあり、上側の扉７ａは商品を補充する際に開閉するものである。
【００１５】
上記商品収容庫５には、商品収納ラック８、搬出機構９及び搬出シュータ１０が設けてある。商品収納ラック８は、商品を上下方向に沿って並ぶ態様で収納するためのものである。搬出機構９は、商品収納ラック８の下部に設けてあり、この商品収納ラック８に収納された商品群の最下位にある商品を１つずつ搬出するためのものである。搬出シュータ１０は、搬出機構９から搬出された商品を外扉６に設けられた商品取出口６ａに導くためのものである。
【００１６】
そして搬出シュータ１０の下方域には蒸発器２４及びヒータＨが配設してある。蒸発器２４は背面ダクトＤの前面側に配設してあり、機械室１１に配設された圧縮機２１、凝縮器２２、キャピラリーチューブ２３と冷媒配管２５を通じて順次接続されて冷凍サイクル２０を形成している。圧縮機２１は、吸引口を通じて冷媒を吸引し、吸引した冷媒を圧縮して高温高圧の状態（高温高圧冷媒）にして吐出口より吐出するものである。凝縮器２２は、通過する冷媒を凝縮させるものである。より詳細に説明すると、圧縮機２１で圧縮され、かつ吐出口から吐出されて冷媒配管２５を通じて送出された冷媒を周囲空気と熱交換させて凝縮させるものである。キャピラリーチューブ２３は、通過する冷媒を減圧して断熱膨張させるものである。
【００１７】
これら冷凍サイクル２０で冷媒を循環させることにより、圧縮機２１で圧縮された冷媒が凝縮器２２で凝縮され、その後にキャピラリーチューブ２３で断熱膨張されて蒸発器２４を通過する。冷媒が蒸発器２４を通過する際に、該蒸発器２４が配設された商品収容庫５の内部空気との間で熱交換が行われて、自身が蒸発して内部空気を冷却する。蒸発した冷媒は圧縮機２１に吸引される。
【００１８】
冷却された内部空気は庫内送風ファンＦの駆動により商品収容庫５の内部を移動し、これにより該商品収容庫５の商品収納ラック８に収納された商品は所望の温度（例えば５℃）に冷却されることになる。
【００１９】
ヒータＨは、蒸発器２４の前面側に配設してある。このヒータＨは通電状態となることにより周囲空気を加熱するものである。
【００２０】
ヒータＨにより加熱された空気は、庫内送風ファンＦの駆動により商品収容庫５の内部を移動し、これにより該商品収容庫５の商品収納ラック８に収納された商品は所望の温度（例えば５５℃）に加熱されることになる。
【００２１】
図３は、図１に示した断熱仕切板４を示す説明図である。ここで例示する断熱仕切板４は、断熱パネルにより構成してある。尚、本実施の形態においては、断熱パネルの適用例として断熱仕切板４について説明するが、本発明においては、かかる断熱仕切板４だけに限られず、商品収容室３を画成するパネル状の断熱部材２ａ〜２ｄについても断熱パネルにより構成されていてもよい。この場合、断熱仕切板４とは長さ寸法や幅寸法等が異なるだけであり、基本的な構成は同じである。ここで例示する断熱仕切板（断熱パネル）４は、真空断熱材（ＶＩＰ）４１と、枠体４２とを備えて構成してある。
【００２２】
真空断熱材４１は、図４に示すように、例えばガラス繊維等の熱伝導率が低い材料からなるコア４１１を例えばポリアミド等のフィルム４１２にて被包して脱気密封した矩形状のものである。かかる真空断熱材４１においては、製造工程の特性上、コア４１１の長辺に沿って延びるフィルム４１２の長辺側耳部分４１２ａと、コア４１１の短辺に沿って延びるフィルム４１２の短辺側耳部分４１２ｂとが形成される。そして、図５に示すように、長辺側耳部分４１２ａと、短辺側耳部分４１２ｂとを順に、コア被覆部分４１１ｃに折り重ねることにより、全縁部にフィルム４１２によるヒレ部分４１３が形成された真空断熱材４１が形成される。
【００２３】
図６は、図３におけるＡ−Ａ線断面図である。かかる図６を適宜用いながら枠体４２の構成について説明する。
【００２４】
枠体４２は、ヒレ部分４１３が形成された真空断熱材４１の縁部を覆う態様で構成されたもので、第１枠部材４２１と第２枠部材（軟質枠部材）４２２とを備えて構成してある。
【００２５】
第１枠部材４２１は、硬質な樹脂材、すなわち硬質な樹脂素材やゴム素材から構成されたもので、縦断面がコ字状をなすものである。かかる第１枠部材４２１は、真空断熱材４１の縁に沿って延在し、かつ真空断熱材４１の縁部における表面及び裏面を覆う態様で配設されている。ここで第１枠部材４２１による真空断熱材４１の表面を覆う大きさであるが、長辺側耳部分４１２ａ及び短辺側耳部分４１２ｂの折り重なり部分を覆うことが可能な大きさに調整されている。
【００２６】
このような第１枠部材４２１の内端部分４２１ａには、内方に突出する態様で突部４２１１が該第１枠部材４２１の延在方向に沿って配設してある。突部４２１１は、自身の突端面４２１１ａが真空断熱材４１の外端面４１ａ、すなわちヒレ部分４１３が形成された部位の裏面側に位置する端面に図示せぬ接着材を介して接着するものであり、その突出高さは、真空断熱材４１のヒレ部分４１３を収納するのに必要十分な収納域Ｓを画成できる大きさに調整してある。
【００２７】
第２枠部材４２２は、第１枠部材４２１よりも軟質な樹脂材、すなわち軟質な樹脂素材やゴム素材から構成されたものである。この第２枠部材４２２は、第１枠部材４２１の外端部分４２１ｂを覆う態様で、該第１枠部材４２１の周縁に配設してある。ここで第２枠部材４２２は、第１枠部材４２１の外端部分４２１ｂに図示せぬ接着材等により貼付してもよいし、射出成形等により第１枠部材４２１と一体的に形成してもよい。
【００２８】
このような断熱仕切板（断熱パネル）４においては、フィルム４１２の長辺側耳部分４１２ａ及び短辺側耳部分４１２ｂを折り重ねた真空断熱材４１の縁部を枠体４２で覆うことにより構成してあるだけなので、断熱仕切板４の厚み寸法を枠体４２の厚みの大きさ程度にすることができる。しかも真空断熱材４１の露出面積を十分に確保することができる。
【００２９】
従って、本発明の実施の形態である断熱仕切板（断熱パネル）４によれば、十分な断熱性能を有しながら、薄型化を図ることができる。これにより商品収容庫５の容積を十分に確保することができ、商品の収納数の低減を招来する虞れがない。
【００３０】
また上記断熱仕切板４においては、枠体４２を構成する第１枠部材４２１の突部４２１１が真空断熱材４１の外端面４１ａに接触して真空断熱材４１のヒレ部分４１３を収納する収納域Ｓを画成しているので、ヒレ部分４１３に破損等が生じて断熱性能が劣化してしまうことを防止することができる。
【００３１】
また上記断熱仕切板４においては、枠体４２を構成する第２枠部材４２２が第１枠部材４２１の外端部分４２１ｂを覆う態様で配設され、かつ第１枠部材４２１よりも軟質な樹脂材から形成されているので、自身が弾性変形を行うことにより、本体キャビネット１の歪みや真空断熱材４１の歪み等を吸収することができ、商品収容庫５の気密性を十分に確保することができる。
【産業上の利用可能性】
【００３２】
以上のように、本発明に係る断熱パネルは、例えば缶入り飲料やペットボトル入り飲料等の商品を販売する自動販売機に有用である。
【符号の説明】
【００３３】
１  本体キャビネット
２ａ〜２ｄ  断熱部材
３  商品収容室
４  断熱仕切板
５  商品収容庫
６  外扉
７  内扉
８  商品収納ラック
９  搬出機構
１０  搬出シュータ
１１  機械室
２０  冷凍サイクル
２１  圧縮機
２２  凝縮器
２３  キャピラリーチューブ
２４  蒸発器
２５  冷媒配管
４１  真空断熱材（ＶＩＰ）
４１ａ  外端面
４１１  コア
４１２  フィルム
４１２ａ  長辺側耳部分
４１２ｂ  短辺側耳部分
４１３  ヒレ部分
４２  枠体
４２１  第１枠部材
４２１ａ  内端部分
４２１ｂ  外端部分
４２１１  突部
４２１１ａ  突端面
４２２  第２枠部材（軟質枠部材）
Ｄ  背面ダクト
Ｆ  庫内送風ファン
Ｈ  ヒータ
Ｓ  収納域
【図１】
2011133096.tif 000003
【図２】
2011133096.tif 000004
【図３】
2011133096.tif 000005
【図４】
2011133096.tif 000006
【図５】
2011133096.tif 000007
【図６】
2011133096.tif 000008